【手続補正書】
【提出日】平成26年5月20日(2014.5.20)
【手続補正１】
【補正対象書類名】特許請求の範囲
【補正対象項目名】全文
【補正方法】変更
【補正の内容】
【特許請求の範囲】
【請求項１】
ユーザーが身だしなみのスタイルを選択できるように、相互コンピューター系ネットワーク上で支援する方法であって、
身だしなみのスタイルのデジタル画像をホストコンピューター上でデータベースに保存すること、
身体特性及び人格特性の組み合わせを前記ホストコンピューター上で前記データベースに保存すること、
様々なビジネス及び／又は社交イベントを前記ホストコンピューター上で前記データベースに保存すること、
前記ユーザーの身体及び／又は人格特性に関係する情報を前記ユーザーから受信すること、
前記ユーザーが参加する予定のイベントに関係する情報を前記ユーザーから受信すること、
前記ユーザーの身体及び／又は人格特性、並びに前記ユーザーが参加する予定のイベントと合致する身だしなみのスタイルを前記ホストコンピューターによって決定し、それら身だしなみのスタイルを前記ユーザーへ送信及び表示すること、を有することを特徴とする方法。
【請求項２】
前記ユーザーの身体及び／又は人格特性、並びに前記ユーザーが参加する予定のイベントと合致すると決定された前記身だしなみのスタイルから、一つの身だしなみのスタイルを選択する際、前記身だしなみのスタイルに関してコメントする機会及び／又は評価する機会を、選択された友人及び／又は家族へ前記コンピューターネットワーク上にて電子メッセージにて提供することによって、友人及び／又は家族の協力をユーザーが依頼すること、を更に有することを特徴とする請求項１に記載の方法。
【請求項３】
前記ユーザーの身体及び／又は人格特性、並びに前記ユーザーが参加する予定のイベントと合致すると決定された前記身だしなみのスタイルに対応する身だしなみキットを前記ホストコンピューターによって決定すること、
前記ユーザーが前記身だしなみキットのうち一つ以上を購入できるように構築されたリンクに関する情報を前記ユーザーへ送信及び表示すること、を更に有することを特徴とする請求項１又は２に記載の方法。
【請求項４】
前記身だしなみのスタイルのデジタル画像を前記ホストコンピューター上で前記データベースに保存することは、
それぞれ定義を有する身だしなみのスタイルの一群を選択すること、
前記身だしなみのスタイルの定義を前記ホストコンピューターに入力すること、
前記身だしなみのスタイルそれぞれに固有の識別子を割り当てること、
前記身だしなみのスタイル内の人間モデルの写真を示す前記デジタル画像を前記ホストコンピューターにアップロードすること、
前記身だしなみのスタイルに関係する全ての定義及び他の情報を前記ホストコンピューター内で前記データベースに保存すること、を有することを特徴とする請求項１〜３の何れか１項に記載の方法。
【請求項５】
ユーザーの身体及び／又は人格特性と前記身だしなみのスタイルとをマッチさせるために、コンピューターでアクセス可能な参照テーブルを前記ホストコンピューターの前記データベース内に構築することを更に有し、
前記ユーザーの身体特性それぞれに対して記述子及びバリエーションを設定し、前記ユーザーがその中から選択することで、前記ユーザーの身体特性それぞれに関連する身だしなみの特性を提供すること、
前記ユーザーの人格特性に関連する情報を提供するために、前記ユーザーが選択しても良い人格カテゴリの一式を設定すること、
身だしなみのスタイルが推奨されるであろう社交及び／又はビジネスイベントを設定すること、
身体特性の個別オプションの名前を有する身体特性記録を前記データベース内に構築及び保存すること、
各人格カテゴリの名前を有する人格カテゴリ記録を前記データベース内に構築及び保存すること、
人格カテゴリの名前、及びいくつかの身体特性の個別オプションの名前を有する各グループ記録を前記データベース内に構築及び保存すること、
グループースタイル適合リスト内で定義された各グループに適していると決定された前記グループ記録に身だしなみのスタイルを割り当てること、
各エントリ記録を前記グループースタイル適合リスト内で構築及び保存すること、を有することを特徴とする請求項４に記載の方法。
【請求項６】
グループースタイルーイベント適合リストにて決められた社交及び／又はビジネスイベントで用いられるように、各定義されたグループに適していると決定された前記グループ記録に身だしなみのスタイルを割り当てること、
各エントリの記録を前記グループースタイルーイベント適合リスト内に構築及び保存すること、を更に有することを特徴とする請求項５に記載の方法。
【請求項７】
前記ユーザーの身体及び／又は人格特性に関係する情報を前記ユーザーから受信することは、
少なくとも一つの身体的特徴、及び前記ユーザーが利用できるその特徴の対応する様々な個別オプションを表示することと、前記ユーザーが選択した前記少なくとも一つの身体的特徴の前記個別オプションのうち一つを受信することとを含む、身体的特性の情報を前記ホストコンピューターによってリクエストすること、及び
前記ユーザーが選択した少なくとも一つの人格カテゴリを前記ホストコンピューターによってリクエストすること、を有することを特徴とする請求項１〜６の何れか１項に記載の方法。
【請求項８】
前記ユーザーが参加する予定のイベントに関係する情報を前記ユーザーから受信することは、
前記身体特性情報及び／又は前記人格情報に基づいて、前記ユーザーが参加する可能性があるとみなされて選択されたイベントのリストを検索すること、
前記選択された可能性があるイベントのリストを前記ユーザーへ表示することで、前記ユーザーが、参加されるであろうイベントを前記リストから選択できること、を有することを特徴とする請求項７に記載の方法。
【請求項９】
過去のイベント用にユーザーが選択した身だしなみのスタイルに関して、相互コンピューター系ネットワーク上でソーシャルネットワーキングアレンジメントを介して、フィードバックを受信及びコンパイルする方法であって、
前記過去のイベントでの前記身だしなみのスタイルを表示する前記ユーザーの少なくとも一つの写真を、前記ホストコンピューターへ前記ユーザーがアップロードすること、
前記少なくとも一つの写真に表示される前記ユーザーの身だしなみのスタイルに関する友人及び／又は家族の意見及び／又はコメントを、選択された友人及び／又は家族へ前記相互コンピューター系ネットワーク上にて電子メッセージにて前記ユーザーが依頼すること、
前記少なくとも一つの写真に表示される前記ユーザーの身だしなみのスタイルに関する前記選択された友人及び／又は家族の意見及び／又はコメントを、前記相互コンピューター系ネットワークを介して前記ホストコンピューターで受信し、前記受信した意見及び／又はコメントを反映する記録を前記ホストコンピューターのデータベースに保存すること、を有する方法。
【請求項１０】
選択された友人及び／又は家族への前記電子メッセージは、前記ユーザーがアップロードした前記少なくとも一つの写真を表示するウェブサイトへの固有のリンクを有することを特徴とする請求項９に記載の方法。
【請求項１１】
前記選択された友人及び／又は家族の意見及び／又はコメントは、身だしなみの承認レイティングを有することを特徴とする請求項９又は１０に記載の方法。
【請求項１２】
前記少なくとも一つの写真に表示される前記ユーザーの身だしなみのスタイルに関する友人及び／又は家族の意見及び／又はコメントを、前記ユーザーが依頼することは、
前記少なくとも一つの写真を批評し、前記身だしなみの承認レイティングを提供することによって、前記選択された友人及び／又は家族が身だしなみのコンテストに参加するように依頼すること、を更に有することを特徴とする請求項９〜１１の何れか１項に記載の方法。
【請求項１３】
前記ユーザーに関する身だしなみの承認レイティングと他のユーザーに関して受信した身だしなみの承認レイティングとを前記ホストコンピューターにて比較すること、
前記受信した身だしなみの承認レイティングの比較に基づいて、前記身だしなみのコンテストの勝者を選び出すこと、を有することを特徴とする請求項１２に記載の方法。